(57)【要約】      （修正有）【課題】技術性能を劣すことなく、ダストコントロールマットのレンタル業を営む者や製造業者側の効率性や作業性や利益性や環境性などを向上する。【解決手段】  ショップやオフィスの入り口などにセットする業務用でレンタル方式のダストコントロールマットなどに於て上層のパイル２のベースである基布１の裏面にラテックス３を有した構造でゴム質ラバー４を付けないダストコントロールマットや従来のラバー４付きダストコントロールマットに適度の粘着力があり、何度も貼って剥がせる再剥離型の両面粘着シート５を接合したダストコントロールマットの組み合せ構成。【選択図】図３
0003120245.tif 000002
【実用新案登録請求の範囲】
【請求項１】
店舗や事務所などの入り口などに敷くダストコントロールマットに於て最上層のパイル２のベースである基布１の裏面にラテックス３を有した構造の下面に貼って剥がせる再剥離型の両面粘着シート５を組み合せた構成を特徴とした再剥離タイプ粘着シート接合型ダストコントロールマット。
【請求項２】
店舗や事務所などの入り口などに敷くダストコントロールマットに於て最上層のパイル２のベースである基布１の裏面にラテックス３を有してゴム質のラバー４と接合した構造のダストコントロールマット下面に貼って剥がせる再剥離型の両面粘着シート５を組み合せる構成を特徴とした再剥離タイプ粘着シート接合型ダストコントロールマット。
【考案の詳細な説明】
【技術分野】
【０００１】  本考案は店舗や事務所プなどの入り口に使用される主に業務用でレンタル方式のダストコントロールマットの構造に関するもので、その技術構成のベースとしては靴底の土や砂ぼこりを落とし吸塵性や吸水性を主目的としたスタンダードタイプやデザイン性をも目的としたファッションタイプや、宣伝や広告をも目的としたコマーシャルタイプや抗菌、除菌の衛生性や高除塵、高吸水性などを付加した高機能タイプなど使用する側であるお客様のニーズを最優先した技術分野であったが、本考案はこれらの技術性能を劣すことなく、ダストコントロールマットのレンタル業を営む者や製造業者側の効率性や作業性や利益性や環境性などの向上をも目的とし、強いてはお客様へ利益やサービスを還元することをも目的としたレンタル方式のダストコントロールマットに関するものである。
【背景技術】
【０００２】  従来、オフィスやショップの入り口などにセットする業務用のダストコントロールマットの構成は、上層よりパイル２、基布１、ラテックス３、ゴム質ラバー４の層別接合構造が一般的であり、ゴム質ラバー４をベース素材とした技術構成であった。【０００３】  人通りが多いオフィスやショップなどにセットする業務用のダストコントロールマットに於ては自重だけによる安定設置は困難でズレや捲れ防止の策として、ゴム質ラバー４と床６の接合面に使い捨て型の両面接着シートを貼り付ける安定固着化のための技術を施していた。
【考案の開示】
【考案が解決しようとする課題】
【０００４】  従来のゴム質ラバー４をベース材とした業務用のダストコントロールマットなどは構造的に下記の問題があった。
（イ）ゴム質ラバー４は難燃性で廃棄やリサイクルが困難で環境的にも経済的にも問題であった。
（ロ）ゴム質ラバー４は重量素材でありセッティング作業や搬入、搬出、搬送作業やクリーニング作業など重労働を余儀なくされ作業効率が大変悪かった。
（ハ）ゴム質ラバー４は重量素材であり、稼動的に重量制限があるクリーニング装置などへの搬入量が制限され、クリーニング効率が悪くコスト的にも問題であった。
（ニ）ゴム質ラバー４は水密素材であるため洗剤の吸収性がなく洗浄効率や脱水乾燥効率が悪くランニングコストや洗浄品質的にも問題であった。
（ホ）ゴム質ラバー４は高摩擦素材であるため付加係数が高くクリーニング稼動時の洗浄効率が悪かった。【０００５】  人通りが多いショップやオフィスなどにセットするレンタル方式のダストコントロールマットで、ゴム質ラバー４と床６の接合面に両面接着シートを貼り付けて安定固着化する方法には下記の問題があった。
（イ）ダストコントロールマットを取り替える際にはゴム質ラバー４や床６に両面接着シートを貼り付けたり、剥がしたりする作業を余儀なくされ、無駄な労力や、多くのコストを費やしていた。
（ロ）使い捨ての消耗材である両面接着シートの材料費も高価でありコスト的問題もあった。
（ハ）消耗材である両面接着シートの廃棄には環境的にも問題があった。
【課題を解決するための手段】
【０００６】  いまその課題を解決するための構成を説明すれば、
請求項１については店舗や事務所の入り口などにセットする業務用でレンタル方式のダストコントロールマットなどの構成に於て上層のパイル２のベースである基布１の裏面にラテックス３を有した構造で、従来タイプのゴム質ラバー４を付けない基本構成の下面に適度の粘着力があり、何度も貼って剥がせる再剥離型の両面粘着シート５と組み合せることを特徴とした構成である。【０００７】  請求項２については店舗や事務所などの入り口などに敷くダストコントロールマットに於て最上層のパイル２のベースである基布１の裏面にラテックス３を有してゴム質のラバー４と接合したダストコントロールマットの下面に貼って剥がせる再剥離型の両面粘着シート５を組み合せることを特徴とした構成である。
【考案の効果】
【０００８】  本考案はショップやオフィスの入り口などにセットするダストコントロールマットに於て、それを利用するユーザーのお客様ばかりではなく、サービスを提供するレンタル業者や製造業者側にも有効なダストコントロールマットの構成に関するものであり、その具体効果を列記します。【０００９】  請求項１のゴム質ラバー４を省いた構成による効果
（イ）難燃素材のゴム質ラバー４を使用しないため廃棄やリサイクルが容易で環境的にも経済的にも有効である。
（ロ）重量素材のゴム質ラバー４を使用しないため軽量となりセッティング作業や搬入、搬出、搬送作業やクリーニング作業などに於て重労働が減少し作業効率が大巾に向上します。
（ハ）重量素材のゴム質ラバー４を使用しないため軽量となり稼動的に重量制限があるクリーニング装置などへの搬入量を増加でき、クリーニング効率が大巾に向上します。
（ニ）水密素材のゴム質ラバー４を使用しないため洗剤の吸収性が良く洗浄効率や脱水乾燥効率が向上しランニングコストが低減し洗浄品質も向上します。
（ホ）高摩擦素材のゴム質ラバー４を使用しないためクリーニング洗浄稼動時の摩擦が減少し洗浄効率が大巾に向上します。【００１０】  貼って剥がせる再剥離型両面粘着シート５を組み合せることによる効果
（イ）レンタル方式のダストコントロールマットを取り替える度に両面接着シートを貼り付けたり、剥がしたりする作業が削除でき、作業効率が大巾に向上します。
（ロ）使い捨ての消耗材である両面接着シートの材料費も削減します。
（ハ）両面接着シートの廃棄が不用となり環境的にも有効です。【００１１】  本考案により自然環境保全に有効に作用するし、レンタルサービスを提供する業者や製造業者に多岐の有益な効果をもたらすものであり、強いてはユーザーであるお客様へ収益を還元することなどダストコントロールマット業界の転換と地域社会の発展に大きく貢献するものであります。
【考案を実施するための最良の形態】
【実施例】
【００１２】  具体実施例を述べれば、
（イ）ダストコントロールマットのラテックス３は不織布などで貼って剥がせる両面粘着シート５が容易に接着する素材や接合面とする。
（ロ）貼って剥がせる両面粘着シート５は粘着力が強く、粘着性に復元性があり、何度でも使用できる特性を有する製品とする。
（ハ）貼って剥がせる両面粘着シート５はラテックス３との接合部全面を貼る場合もあるし、四周の強度部のみを貼るなど状況に応じて運用する。
【図面の簡単な説明】
【図１】本考案の請求項１のダストコントロールマットの一例を示す斜視図
【図２】本考案の請求項１のダストコントロールマットの一例を示す詳細部の側面図
【図３】本考案の請求項２のダストコントロールマットの一例を示す斜視図
【図４】本考案の請求項２のダストコントロールマットの一例を示す詳細部の側面図
【符号の説明】
１は基布
２はパイル
３はラテックス
４はラバー
５は両面粘着シート
６は床
【図１】
0003120245.tif 000003
【図２】
0003120245.tif 000004
【図３】
0003120245.tif 000005
【図４】
0003120245.tif 000006